(57)【要約】【課題】構造が簡単でありながら、箱側面から接着テープのみを容易に剥離することを可能とする開封補助片を備えた箱を提供する。【解決手段】本発明の箱２は、箱側面４の上端に設けられたフラップを内側に折り込み、折り込んだフラップと箱側面４との突合せ部を接着テープＴで貼り付けて封緘を行うようになされ、箱側面４に接着テープＴの剥離を補助するための開封補助片１が備えられた箱２であって、開封補助片１は、下側に設けられる第１片１０と、第１片１０の上側に設けられ且つ第１片１０とは横幅が異なる第２片１２と、を有しており、第１片１０及び第２片１２は、第１片１０の幅方向中央で互いに連結されており、第１片１０の側縁辺の上端と、第２片１２の側縁辺の下端との２点間が、箱側面４に対して非切断状態とされている。【選択図】図１
2019085141.tif 000002
【特許請求の範囲】
【請求項１】
箱側面の上端に設けられたフラップを内側に折り込み、折り込んだフラップと前記箱側面との突合せ部を接着テープで貼り付けて封緘を行うようになされ、前記箱側面に接着テープの剥離を補助するための開封補助片が備えられた箱であって、
前記開封補助片は、下側に設けられる第１片と、前記第１片の上側に設けられ且つ第１片とは横幅が異なる第２片と、を有しており、
前記第１片及び第２片は、前記第１片の幅方向中央で互いに連結されており、前記第１片の側縁辺の上端と、第２片の側縁辺の下端との２点間が、前記箱側面に対して非切断状態とされている
ことを特徴とする開封補助片を備えた箱。
【請求項２】
前記第１片の側縁辺の上端と第２片の側縁辺の下端とが、非切断状態とされた折れ込み線により接続されていることを特徴とする請求項１に記載の開封補助片を備えた箱。
【請求項３】
前記第１片の下縁辺の下方には、当該第１片に隣接し且つ人の指を押し込むことで開孔を形成できる押し込み片が形成されていることを特徴とする請求項１又は２に記載の開封補助片を備えた箱。
【請求項４】
前記第２片は接着テープより幅広とされていて、前記第１片は第２片より幅広とされていることを特徴とする請求項１〜３のいずれかに記載の開封補助片を備えた箱。
【請求項５】
前記箱側面において接着テープの端部が達する位置に前記第１片が存在するように、当該第１片が設けられていることを特徴とする請求項１〜４のいずれかに記載の開封補助片を備えた箱。
【発明の詳細な説明】
【技術分野】
【０００１】
本発明は、貼り付けられた封緘用の接着テープを剥がしやすくする開封補助片を備えた箱に関する。
【背景技術】
【０００２】
従来、段ボール箱などの箱を封緘するに際しては、箱側面の上端に備えられた内フラップを段ボール箱の内側へ倒した後、外フラップを内フラップの上に重なるように段ボール箱の内側へ倒し、外フラップの先端同士を突き合わせるようにして、上蓋とする。
その後、ガムテープやクラフトテープなどの接着テープを、外フラップの先端突合せ部に沿って、長手方向に貼り付けるようにする。この時、接着テープの一方端は、段ボール箱の一方側の箱側面に延びるまで延貼されるとともに、接着テープの他方端は、段ボール箱の他方側の箱側面に届くまで延貼される。
【０００３】
さて、上記したように接着テープを用いて封緘された段ボール箱を開封するにあたっては、カッターなどの刃物を用いて接着テープを切り取るか、接着テープの端部を人の指や爪などにより一部剥がし、それを起点に、接着テープを段ボール箱から剥ぎ取るようにする。
上記した段ボール箱の開封方法は、一般的であり、家庭などで段ボール箱を開封するには何ら問題はない。
【０００４】
しかしながら、工場などにおいて多数に及ぶ段ボール箱を開封するに際しては、刃物を用いたり、人の爪に頼った開封は、問題が発生する場合がある。例えば、この段ボール箱の中に被梱包材として食品が梱包されており、食品が梱包された段ボール箱を多数開封する作業を行う「食品工場」などを考えてみる。
この場合、多数の段ボール箱の開封を行うため、人の爪に頼ったのでは作業者の負担が大きいこととなる。カッターなどの刃物を用いた開封を行った場合、刃物により被梱包物（この場合、食品）を傷つけることになったり、刃物片が被梱包物に混入するなどのコンタミ問題の発生が否めない。上記のことは、スーパーや百貨店などでの段ボール箱の開封時にも起こりうる話である。
【０００５】
加えて、昨今の環境問題の影響により、ゴミの分別が厳しくなっている。そのため、工場内においては、接着テープ（例えばプラスチック製）と、この接着テープの端などに着いた段ボール箱の破片（箱側面の一部が剥がれたものなどで紙製）を確実に分離し、廃棄する必要性が生じている。このようなゴミ分別までを考えた場合、従来の段ボールの開封手法は、あまり好ましいものとは思えない。
【０００６】
上記した問題に対応すべく、段ボール箱の開封に関し、いくつかの技術が開発されている。
例えば、特許文献１の技術では、箱側面に押込片を設けておき、押込片の基部側へかけて接着テープを貼り付け、開封に際し、押込片を押し込んで揺動させ、これに伴い、押込片から接着テープを剥離させて、接着テープの端部を摘み、接着テープを剥がすようにしている。
【先行技術文献】
【特許文献】
【０００７】
【特許文献１】実用新案登録第３１６６２５９号公報
【発明の概要】
【発明が解決しようとする課題】
【０００８】
しかしながら、特許文献１が開示する開封方法により、段ボール箱を開封した際に、接着テープの端部に押込片が付着したまま、接着テープが剥がれる虞がある。
この場合、ゴミの分別の観点から、押込片が付着したままの接着テープを廃棄することはできないこととなる。そのため、わざわざ、剥離後の接着テープから押込片を剥がし、両者を別々にした上で、廃棄する作業を行う必要性が生じることとなる。
【０００９】
そこで、本発明は、上記の問題点に鑑み、構造が簡単でありながら、箱から接着テープのみを容易に剥離することを可能とする開封補助片を備えた箱を提供することを目的とする。
【課題を解決するための手段】
【００１０】
上述の目的を達成するため、本発明においては以下の技術的手段を講じた。
本発明にかかる箱は、箱側面の上端に設けられたフラップを内側に折り込み、折り込んだフラップと前記箱側面との突合せ部を接着テープで貼り付けて封緘を行うようになされ、前記箱側面に接着テープの剥離を補助するための開封補助片が備えられた箱であって、前記開封補助片は、下側に設けられる第１片と、前記第１片の上側に設けられ且つ第１片とは横幅が異なる第２片と、を有しており、前記第１片及び第２片は、前記第１片の幅方向中央で互いに連結されており、前記第１片の側縁辺の上端と、第２片の側縁辺の下端との２点間が、前記箱側面に対して非切断状態とされていることを特徴とする。
【００１１】
好ましくは、前記第１片の側縁辺の上端と第２片の側縁辺の下端とが、非切断状態とされた折れ込み線により接続されているとよい。
好ましくは、前記第１片の下縁辺の下方には、当該第１片に隣接し且つ人の指を押し込むことで開孔を形成できる押し込み片が形成されているとよい。
好ましくは、前記第２片は接着テープより幅広とされていて、前記第１片は第２片より幅広とされているとよい。
【００１２】
好ましくは、前記箱側面において接着テープの端部が達する位置に前記第１片が存在するように、当該第１片が設けられているとよい。
【発明の効果】
【００１３】
本発明の技術によれば、構造が簡単でありながら、箱から接着テープのみを容易に剥離することが可能となる。
【図面の簡単な説明】
【００１４】
【図１】本実施形態の段ボール箱の斜視図である。
【図２】開封補助片を正面から見た図である。
【図３】開封補助片を用いて、接着テープをはがす手順を示した図である。
【図４】開封補助片を用いて、接着テープをはがす手順を示した図である。
【図５】開封補助片の他の実施形態（他の形状）を示した図である。
【発明を実施するための形態】
【００１５】
以下、図を参照しながら、本発明にかかる開封補助片１を備えた箱２について説明する。
以降では、本発明の箱２として、被梱包物を梱包し輸送する際に使用する段ボール紙で出来た箱体（段ボール箱２）を実施形態に挙げて説明を行う。被梱包物としては、特定のものに限定はされないが、例えば、食品工場などで用いられる段ボール箱２であれば、被梱包物としては、食品や食素材などが該当する。
【００１６】
段ボール箱２は、組立前は、一枚の段ボール材を所定の形状に型抜きしたブランクと呼ばれるものとなっている。ブランクは、展開状態で縦方向に３面、横方向に４面、縦横合計で１２面の展開面を備えている。この１２面の展開面のうち、縦方向のちょうど中間であって横方向に沿って連続して繋がるように位置する４面は、段ボール箱２に製函した際にいずれも側面を構成する面となっている。
【００１７】
また、側面を構成する４面の上側と下側とにそれぞれ隣接する４面はフラップといわれる面であり、箱側面４に対して折り込み自在に連結されている。これらフラップを構成する４面は、側面に対して折り込むことで段ボール箱２の底面と蓋面を構成可能となっている。なお、フラップを構成する面と、側面を構成する面との間には、機械で折り目を付けられた折り込み線が形成されている。
【００１８】
また、側面を構成する左右方向に並んだ４面の一方端側には、継ぎしろまたはのりしろと呼ばれる連結端が形成されている。この連結端を接着剤、テープ、金具などを用いて、連結端が形成された側とは左右方向の逆側のブランクに連結することで、段ボール箱２を組み上げて製函する構成とされている。
図１は、製函後の段ボール箱２を示す斜視図である。この箱側面４、特に、上フラップ３を折り込み突合せ状態にした時の突合せ線を延長した所にある箱側面４において、「開封補助片１」が形成されていることが、本発明にかかる段ボール箱２の特徴である。
【００１９】
図２に示す如く、開封補助片１は、段ボールの箱側面４の左右方向略中央部であって、上下方向の略中央部に形成されている。開封補助片１は、側面視で凸の文字に似た形状を呈するものとなっている。
詳しくは、開封補助片１の形成された段ボール箱２は、幅方向の両側に存在する側面の各上端に設けられたフラップを互いに内側へ折り込み、折り込んだフラップの突合せ端に沿って接着テープＴ（封緘テープ）を貼り付けることで、封緘を行うようになされ、接着テープＴの端部が、箱側面４に形成された開封補助片１に達するものとなっている。
【００２０】
段ボールの箱側面４（上面に貼り付けられた接着テープＴが延長して貼り付けられる側面）に形成された開封補助片１は、横長とされた第１片（Ｂ片１０と呼ぶこともある）と、この第１片より短幅であって第１片の幅方向中央で上部に連続するように設けられた第２片（Ｃ片１２と呼ぶこともある）とを有している。
詳しくは、図２などに示すように、Ｂ片１０は、幅方向に細長い形状を呈していて、下縁辺は、箱側面４に対して切込みが入れられて、箱側面４から切断状態となっている。Ｂ片１０の側縁辺は、上下方向を向き、箱側面４に対して切込みが入れられて、箱側面４から切断状態となっている。Ｂ片１０においては、下縁辺の端部と側縁辺の下端とはＲ形状の曲線で結ばれている。このＲ形状部も、箱側面４に対して切込みが入れられて、箱側面４から切断状態となっている。
【００２１】
一方で、Ｂ片１０の上縁辺は、箱側面４に対して切断されていない。谷折りを容易にするために、Ｂ片１０の上縁辺の両端部（後述するＣ片１２の側縁辺の下端とＢ片１０の側縁辺の上端との間）には、押し込みやミシン目などで形成された水平に延びる「罫線１１（折れ込み線）」が形成されている。なお、罫線１１は、Ｂ片１０の両側に存在する一方側の上縁辺の上端から他方側の上縁辺の上端まで、連続的に構成されていてもよい。
【００２２】
Ｂ片１０の幅（左右方向に沿った幅）は、少なくとも人の指１本幅より幅広とされている。当然ながら、接着テープＴの幅よりも広いことが必須条件である。図２に示す実施形態では、人の指の３〜４本程度分の幅を有している。Ｂ片１０の高さは、人の指で摘まむことが可能な程度の距離、例えば、指１〜２本分を有している。
図２に示す如く、Ｃ片１２（第２片）は、Ｂ片１０の上縁辺に連続するように形成されており、幅方向に細長い形状を呈している。Ｃ片１２の幅はＢ片１０の幅よりも幅狭とされており、Ｂ片１０の幅方向中央と、Ｃ片１２の幅方向中央とは上下に沿って一致するものとなっている。Ｃ片１２の高さはＢ片１０の高さと略同じとされている。
【００２３】
Ｃ片１２の両側の側縁辺は、上方に行くに従い近接するように傾斜して形成されており、Ｃ片１２の両側の側縁辺は、箱側面４に対して切込みが入れられて、箱側面４から切断状態となっている。Ｃ片１２の両側の側縁辺の上端同士は、水平線で結ばれ上縁辺とされている。この上縁辺も箱側面４に対して切込みが入れられて、箱側面４から切断状態となっている。
【００２４】
すなわち、Ｂ片１０の側縁辺（切断部）の上端から水平方向に罫線１１（非切断線）が数ｃｍ延び、それに続くように、Ｃ片１２の側縁辺（切断部）が上方に立ち上がるように形成されている。
まとめれば、図２から明らかなように、本発明の開封補助片１は、Ｂ片１０とＣ片１２とが連続するようにして構成されており、マクロ視で凸の字の形状を呈している。Ｂ片１０の上縁辺とＣ片１２の下縁辺とは、中央部において連続しており切断されていない。また、Ｂ片１０の上縁辺の両側（内両側）は、箱側面４と繋がっており切断されていない。開封補助片１の他の部分（辺）は、箱側面４と切断状態にある。
【００２５】
なお、段ボール箱２やブランク状態での移送時における、開封補助片１の不要な移動を防ぐために、開封補助片１を形成する辺（切断状態とされた辺）の一部と箱側面４との一部（数ｍｍ程度）とが連続状態（非切断部１３）とされていることは好ましい。Ｃ片１２の幅は、Ｂ片１０の幅より狭いものとされているが、接着テープＴより幅広とされていることは必須である。
【００２６】
さて、図２などに示すように、Ｂ片１０の幅方向中央の下方であって、Ｂ片１０の下縁辺に接するように、Ａ片１４（押し込み片）が形成されている。
このＡ片１４は、人の指を押し込むことで開孔を形成できる押し込み片であり、Ａ片１４の上縁辺（言い換えれば、Ｂ片１０の下縁辺）、及びＡ片１４の両側の側縁辺は、箱側面４に対して切込みが入れられて、箱側面４から切断状態となっている。Ａ片１４の下縁辺は、箱側面４に繋がっているものとされている。そのため、このＡ片１４を押し込み折り曲げることで、Ｂ片１０の真下に開孔が形成されることとなる。Ａ片１４の幅方向の大きさは、人の指１〜３本分程度である。
【００２７】
なお、Ａ片１４を設けずに、開孔を初めから形成しておいてもよい。
［使用態様］
以上述べた、開封補助片１を用いて、段ボール箱２を開封するやり方について、図を基に説明する。
まず、本発明の開封補助片１を効果的に使用するためには、段ボール箱２の封緘において必須とされる条件がある。
【００２８】
それは、段ボール箱２の封緘する際に、上フラップ３を閉じて、上フラップ３の綴目に接着テープＴを貼り付ける際に、接着テープＴの端部を箱側面４に達するようにし、且つ開封補助片１に達する位置まで延貼する必要がある。
詳しくは、図２に示すように、接着テープＴの端部は、開封補助片１のＢ片１０の上下略中央の位置に達するようにしておくとよい。このことは、段ボール箱２の封緘を行う作業員に作業手順として遵守してもらってもよく、段ボール箱２の封緘を行う機械（例えば、封緘用の機械）において、接着テープＴの長さを所定値に設定しておいてもよい。
【００２９】
以上のように、接着テープＴの端部が開封補助片１に達する位置まで延貼された状態から、接着テープＴを剥がし、段ボール箱２を開封する手順について説明する。
まず、図３（ａ）の状態において、図３（ｂ）に示すように、段ボール箱２を開封する作業員は、親指などを用いて、開封補助片１のＡ片１４を段ボール箱２内に押し込むようにする。すると、開封補助片１のＢ片１０の直下に、作業員の指が最低でも１本入る開孔が形成される。
【００３０】
その後、図３（ｃ）に示すように、使用者は、Ａ片１４により形成された開孔に指（図例では人差し指）を差し込み、Ｂ片１０の下縁辺を掴んだうえで、Ｂ片１０を外方且つ上方へ回しながら持ち上げるようにする。
この時、図３（ｃ）に示す如く、開封補助片１の罫線１１は、箱側面４と連続している（切れていない）ため、罫線１１（左右方向を向く線）に沿って、Ｂ片１０が外側上向きに移動するようになる。その時、同時に、Ｃ片１２は、段ボール箱２の内側へ倒れ込むようになり、開封補助片１のＢ片１０とＣ片１２とは略水平状態となる。すなわち、開封補助片１のＢ片１０とＣ片１２は、水平方向を向く罫線１１を軸芯とする回転扉のように回転し、Ｂ片１０が段ボール箱２の外側へ、Ｃ片１２が段ボール箱２の内側へ移動することとなる。Ｂ片１０の幅がＣ片１２の幅より大きいため、テコの原理の作用も兼ねあって、作業者は小さな力で、開封補助片１を回動することが可能となる。
【００３１】
この時、接着テープＴは、Ｃ片１２の上側の箱側面４と、Ｃ片１２の下側のＢ片１０とに跨るように、上下に延貼された状態を維持することとなるため、段ボール箱２の内側へ移動したＣ片１２から接着テープＴが剥がれることとなる。
なお、この剥離（Ｃ片１２と粘着テープの剥離）を促すため、Ｃ片１２の外表面に剥離剤を塗布しておいたり、Ｃ片１２の外表面に潰しやエンボス加工を施し、接着テープＴとの接着面積を少なくしておくことは好ましい。
【００３２】
その後、図４（ａ）に示すように、Ｃ片１２が内側へ倒れ込むことで発現した開孔１５と接着テープＴの間に指を差し入れ、接着テープＴの側方を摘む。なお、開孔１５は図３（ｃ）に符号で図示している。
図４（ｂ）〜図４（ｃ）に示すように、接着テープＴの側方を摘んだまま、接着テープＴを箱側面４から剥ぎ取るようにする。このようにすることで、開封補助片１を段ボール箱２に残したまま、刃物を使うことなく、接着テープＴのみを剥ぎ取ることができるようになる。
【００３３】
つまり、本発明の開封補助片１を用いれば、段ボール箱２から接着テープＴを容易にはがし取ることができ、更には、段ボール箱２を開封した際に、接着テープＴの端部に段ボール箱２の一部が付着したまま、接着テープＴが剥がれるといった不都合が生じることがない。そのため、わざわざ、剥離後の接着テープＴから紙片を剥がし、両者を別々にした上で、廃棄する作業を行う必要性は生じないこととなる。
【００３４】
以上述べたように、本発明の段ボール箱２は、箱側面４に切断線を入れることで形成され且つ横長とされたＢ片１０（第１片）と、箱側面４に切断線を入れることで形成され且つＢ片１０より短幅であってＢ片１０の幅方向中央で上部に連続するように設けられたＣ片１２（第２片）とを有しており、Ｂ片１０の側縁辺の上端とＣ片１２の側縁辺の下端とが箱側面４に対して非切断状態とされている開封補助片１を有することで、構造が簡単でありながら、段ボール箱２から、接着テープＴのみを容易に剥離することが可能となる。
【００３５】
なお、今回開示された実施形態はすべての点で例示であって制限的なものではないと考えられるべきである。特に、今回開示された実施形態において、明示的に開示されていない事項、例えば、各種パラメータ、構成物の寸法、重量、体積などは、当業者が通常実施する範囲を逸脱するものではなく、通常の当業者であれば、容易に想定することが可能な値を採用している。
【００３６】
例えば、開封補助片１の形状は、図２に示したように、マクロ視で凸の字型であればよく、詳細の形状は、様々なものに変更可能である。
例えば、図５に示すように、開封補助片１の形状には、５種類乃至はそれ以上の変形形状が考えられる。
図５（ａ）に示す開封補助片１は、Ｃ片１２の上縁辺が水平ではなく、下方に「Ｖの字」状に曲がった形となっている。このため、Ｃ片１２と箱側壁とが抵抗なく離脱するようになり、Ｂ片１０を指で摘んで持ち上げるときに、軽い力で開封補助片１を回動でき、Ｃ片１２から接着テープＴを剥がし取ることが可能となる。図５（ｄ）（ｅ）も同じ構成を有するため、同様の作用効果を奏することとなる。
【００３７】
図５（ｂ）（ｃ）に示す開封補助片１は、Ｃ片１２の上縁辺が水平ではなく、下方に円弧状乃至は上方に円弧状（膨張状）となっている。このような切込みによっても、Ｃ片１２と箱側壁とが抵抗なく離脱するようになり、Ｂ片１０を指で摘んで持ち上げるときに、軽い力で開封補助片１を回動でき、Ｃ片１２から接着テープＴを剥がし取ることが可能となる。
【００３８】
なお、本発明の箱２は、上述した実施形態の段ボール箱に限定されない。例えば、板紙を用いて形成された箱や、プラスチック製の板を用いて形成された箱（プラスチック段ボールの箱など）の用途にも、本発明の開封補助片１は採用可能である。
また、上述した実施形態では、上フラップ３を折り込み突合せ状態にした時の突合せ線に沿って接着テープＴを貼り付けることで封緘を行う箱２の例を挙げたが、一枚の上フラップ３が箱２の開口全面を覆うような場合にも、本発明の箱２（言い換えれば、開封補助片１）を用いることができる。この場合、折り込まれた上フラップ３の端部と正面壁の端部を接着テープＴで封緘し、接着テープＴが跨っている正面壁の左右いずれかの端に開封補助片１を設けることで、接着テープＴを容易に剥がし箱２を開封することができる。
【符号の説明】
【００３９】
１    開封補助片
２    段ボール箱
３    上フラップ
４    箱側面
１０  Ｂ片（第１片）
１１  罫線
１２  Ｃ片（第２片）
１３  非切断部
１４  Ａ片（押し込み片）
１５  開孔
Ｔ    接着テープ
【図１】
2019085141.tif 000003
【図２】
2019085141.tif 000004
【図３】
2019085141.tif 000005
【図４】
2019085141.tif 000006
【図５】
2019085141.tif 000007